(57)【特許請求の範囲】
【請求項１】
撮像素子を有し、当該撮像素子で撮影された映像を順次所定の第１の記録媒体に動画として記録する撮像装置であって、
前記第１の記録媒体とは異なる、第２の記録媒体を装着もしくは接続可能な手段と、
被写体の特徴を表す画像データを複数種類保持する記憶保持手段と、
動画記録の実行中に入力された前記撮像素子で撮影された映像データが、前記記憶保持手段に保持された前記複数種類の画像データから選択された一の画像データとマッチング演算を行なうことにより相関性があると判断されたときに、前記撮像素子で撮影された映像データを静止画画像データとして前記第２の記録媒体に記録させる静止画記録制御手段とを備えることを特徴とする撮像記録装置。
【請求項２】
前記第２の記録媒体は着脱自在であることを特徴とする請求項第１項に記載の撮像記録装置。
【請求項３】
更に、前記第２の記録媒体に記録された静止画の再生指示する指示手段と、
該指示手段による指示があった場合に、前記第２の記録媒体に格納された静止画を再生すると共に、所定のインタフェースに静止画データを出力する出力手段とを備えることを特徴とする請求項第１項に記載の撮像記録装置。
【請求項４】
前記憶保持手段は書き込み可能なメモリであって、更に、前記撮像素子で撮影された所定領域の映像データを前記記憶保持手段に書き込む手段を備えることを特徴とする請求項第１項に記載の撮像記録装置。
【請求項５】
前記記憶保持手段に記憶された中の、前記マッチング演算を行なう画像データの種類を選択する選択手段を備えることを特徴とする請求項１に記載の撮像記録装置。
【請求項６】
更に、前記撮像素子による撮像のための自動焦点を行なうＡＦ手段、及び、自動露出を行なうＡＥ手段を備え、
前記静止画記録制御手段は、前記ＡＦ手段により合焦したことを示す信号、及び前記ＡＥ手段により適正露出になったことを示す信号の両方が出力された場合に、静止画を前記第２の記録媒体に記録させることを特徴とする請求項１に記載の撮像記録装置。
【請求項７】
撮像素子と、当該撮像素子で撮影された映像を順次所定の第１の記録媒体に動画として記録すると共に、前記第１の記録媒体とは異なる、第２の記録媒体を装着もしくは接続可能な手段、及び、被写体の特徴を表す画像データを複数種類保持する記憶保持手段とを有する撮像記録装置の制御方法であって、
前記第２の記録媒体が装着もしくは接続され、前記第１の記録媒体に動画記録の実行中に、前記撮像素子で撮影された映像データが、前記記憶保持手段に保持された前記複数種類の画像データから選択された一の画像データとマッチング演算を行なうことにより相関性があると判断されたときに、前記撮像素子で撮影された映像データを静止画画像データとして前記第２の記録媒体に記録させる
ことを特徴とする撮像記録装置の制御方法。
【発明の詳細な説明】
【０００１】
【発明の属する技術分野】
本発明は撮像記録装置及びその制御方法、詳しくは撮像素子を用いて撮像した撮像信号の記録及び再生処理を行なう撮像装置に関するものである。
【０００２】
【従来の技術】
近年、ディジタル信号処理技術の進歩に伴い、撮像信号をディジタル処理し、それをディジタルビデオ信号としてテープやディスク装置に記録する方式の撮像記録装置が多く提案されている。
【０００３】
これらは、ＣＣＤ等の撮像素子の出力信号をＡＤコンバータでアナログディジタル変換し、これをディジタル信号処理回路で信号処理して、ディジタルビデオ信号を得て、これをディジタル記録処理回路により記録データに変換し、テープやディスク装置に記録している。また再生部を有する場合は、テープやディスク装置の出力からディジタル再生処理回路によりディジタルビデオ信号を形成し再生ディジタルビデオ信号として外部機器に出力する。
【０００４】
【発明が解決しようとする課題】
再生出力信号であるディジタルビデオ信号は、種々の外部機器に接続される。例えば、ＤＡ変換を行った後、通常のテレビモニタに接続したり、別のＶＴＲに接続したり、パーソナルコンピュータ（以下、ＰＣという）等の静止画入力機器、同じくＰＣの動画入力機器、更には、カラープリンタに接続される。
【０００５】
これらの接続先のうち、テレビモニタや、別のＶＴＲに接続した際、記録されたテープの中から所望のシーンを見つけ出すためには、非常に手間と時間がかかるという問題がある。特に、複数のテープが有る場合、実際にそれぞれのテープの全ての内容を再生してみるまで、所望の内容が含まれているかどうか分からないため、なおさらであろう。
【０００６】
また、これらの接続先のうち、パソコンの静止画入力機器、カラープリンタなどでは記録されている画像データのうち所定部分の静止画像を抜き出すことが必要になる。しかし、目的の画像を抜出すためには、非常に時間がかかる。たとえば、１時間の動画を記録して有るテープから１枚の画像を探すのに、標準速で見ると、最大１時間かかる計算になる。高速サーチで探せばさらに短くする事は可能であるが、テープの場合、画面に所望の画像が現れてからストップを押しても、かなり先まで進んでしまうので、一般には、また巻き戻して所望の画像まで進めて静止させる等の操作が必要になる。また、高速サーチの速度が速すぎると、見逃してしまうことも当然あるだろう。
【０００７】
また、これらの画像の中から一枚の静止画を選び出した後、上述のようにパソコンや、カラープリンタへ出力する際に、撮影条件によっては、露出が不適性であったり、焦点が合っていなかったり、静止画として、不適切な画像が出力されてしまうということもあり得る。更にまた、所望の被写体が、写っていても、画面上の適切な位置に写っていないために静止画として不適切な画像が出力されることもある。
【０００８】
【課題を解決するための手段】
本発明はかかる問題点に鑑みなされたものであり、動画撮影を行なう装置において、更に静止画として記録手段を備え、予め被写体の特徴を表す画像データと相関性の高い静止画のみを別記録媒体に記録させることを可能ならしめる撮像記録装置を提供しようとするものである。
【０００９】
この課題を解決するため例えば本発明の撮像記録装置は以下の構成を備える。すなわち、
撮像素子を有し、当該撮像素子で撮影された映像を順次所定の第１の記録媒体に動画として記録する撮像装置であって、
前記第１の記録媒体とは異なる、第２の記録媒体を装着もしくは接続可能な手段と、
被写体の特徴を表す画像データを複数種類保持する記憶保持手段と、
動画記録の実行中に入力された前記撮像素子で撮影された映像データが、前記記憶保持手段に保持された前記複数種類の画像データから選択された一の画像データとマッチング演算を行なうことにより相関性があると判断されたときに、前記撮像素子で撮影された映像データを静止画画像データとして前記第２の記録媒体に記録させる静止画記録制御手段とを備える。
【００１０】
【発明の実施の形態】
以下、添付図面に従って本発明に係る実施形態を詳細に説明する。
【００１１】
図１は、実施形態におけるデジタルビデオカメラの記録部の主要な部分のブロック構成図を示している。
【００１２】
図中、１は焦点調整、露出調節、撮像光学系を含むレンズ、２は撮像素子であるＣＣＤ、３はＡＤコンバータ、４はカメラ信号処理、５はＡＥ・ＡＦ回路、６はＶＴＲ信号処理、７は磁気ヘッド、８はテープ、９は静止画信号処理、１０は静止画記録検出、１１はフラッシュメモリ、または、バックアップされたＳＲＡＭまたはハードディスク装置などのメモリ、１２は録画の開始停止を操作するトリガスイッチ、１３は静止画の記録を指示する静止画録画スイッチ、１４は録画する静止画の条件を設定する条件設定スイッチである。
【００１３】
不図示の被写体像はレンズ１により焦点調整、露出調整された後ＣＣＤ２の結像面に結像される。ＣＣＤ２では、受光した被写体像を光電変換し、撮像信号として出力する。その撮像信号は、ＡＤコンバータ３によりアナログディジタル変換され、ディジタル撮像信号となり、カメラ信号処理４およびＡＥ・ＡＦ回路５に入力される。カメラ信号処理４では入力されたディジタル撮像信号にクランプ、色分離、ホワイトバランス、ガンマ補正、黒クリップ、白クリップなどの信号処理を行い、ディジタルビデオ信号を生成する。
【００１４】
一方、ＡＥ・ＡＦ回路５においてはまず、入力されたディジタルビデオ信号の、所定の検出領域内の信号を積分し、その積分値を所定の基準値と比較し、基準値より大きければレンズ１の露出調整に光量を減ずるように信号を発生し、上述の積分値が基準値より小さい時は、光量を増加させるように信号を発生するというフィードバック制御により、上述の積分値が基準値と一致するように制御する。
【００１５】
ＡＥ・ＡＦ回路５はまた、入力されたディジタル撮像信号の高周波成分を検出し、その高周波成分の所定の領域内の値を用いて、その値が最大になるように上述のレンズ１の焦点調整を制御する。これには、例えば山登り法と呼ばれる方法により、現在の高周波成分の値と、前回の高周波成分の値を比較し、もし現在の方が大きければ焦点調整を更に同じ方向へ進め、もし現在の方が小さければ焦点調整を逆の方向へ進め、もし変化が無ければ焦点調整をその位置で停止させるという制御によって行う。
【００１６】
このＡＥ・ＡＦ回路５は、また、現在のＡＥおよびＡＦの状態を表すＡＥ・ＡＦ状態信号を静止画記録検出９に出力する。また、このＡＥ・ＡＦ状態信号であるが、ＡＥについては前述の積分値が前述の基準値と一致しているか、あるいはその差の絶対値が所定値よりも小さい時に良好な露出状態を示すものであり、それ以外は良好でない露出状態を示す。また、ＡＦについては、前述の山登り制御において、現在の高周波成分の値と、前回の高周波成分の値が一致しているか、あるいは、その差の絶対値が所定値以下である時に良好な焦点調整状態である事を示し、そうでない時は良好な焦点状態でない事を示す。
【００１７】
カメラ信号処理４の出力のディジタルビデオ信号は、ＶＴＲ信号処理部６、静止画信号処理部９および静止画記録検出部１０に供給される。まずＶＴＲ信号処理部６では入力されたディジタルビデオ信号を内部になるフレームメモリにいったん保存し、そのフレームメモリに保存された信号を所定の順番でブロック毎に読み出し、ＤＣＴにより各々のブロックを変換した後量子化し、さらにハフマン符号化し、記録用の処理をした後、ヘッド７を通して、テープ８に記録する。
【００１８】
また、静止画信号処理部９においては、入力されたディジタルビデオ信号のうち、後述する方法により静止画記録検出部１０により発生された静止画記録制御信号に対応する画像を、ＪＰＥＧ圧縮等の静止画圧縮により圧縮して、圧縮された静止画を生成し、メモリ１１に保存する。メモリ１１は内蔵されているものでもよいし、あるいは、本体に着脱可能なメモリカード（例えばＰＣＭＣＩＡカード）、もしくはハードディスクカードであってもよい。
【００１９】
メモリ１１に保存された圧縮された静止画は、不図示の読み取り再生手段によりパーソナルコンピュータに適したデータ（例えばパーソナルコンピュータがビデオキャプチャ機能を有しているのであればＮＴＳＣ形式のビデオ信号で、或いは、パーソナルコンピュータ側で伸張処理するのであれば通信インタフェースに向けて、記録された圧縮符号化データをそのままデジタルデータで出力する）とにし、所定の通信インタフェースを介して出力する。パーソナルコンピュータ側では、そのインタフェースを介して受信した画像データを、例えば自身が備えるハードディスク等に記憶させたり、表示したりすることになる。また、プリンタに直接出力する場合には、伸張し尚且つそのプリンタが解釈できる制御コマンドを付随させて出力する。
【００２０】
また、上述のようにメモリ１１が着脱可能な場合は、メモリ１１が本実施形態の筐体から抜き取られて、パーソナルコンピュータのメモリスロットなどに挿入されて、圧縮された画像データが直接読み取られる。この場合には、パーソナルコンピュータ側にはその画像データを伸張する処理プログラム又はハードウェアを必要とするものの、転送にかかる時間を大幅に節約することができる。
【００２１】
静止画記録検出部１０では、入力されたディジタルビデオ信号、ＡＥ・ＡＦ状態信号、スイッチ１２、１３、１４の出力の状態と共に、ディジタルビデオ信号が静止画として所定の条件を満足している時にその画像を記録するように静止画記録制御信号を生成する。
【００２２】
トリガスイッチ１２は操作者が撮影の開始時に押す事により、まず、ＶＴＲ信号処理部６を制御して録画を開始し、また、再び押す事により録画を停止する。また、トリガスイッチ１２が押されて、所定条件が揃うと、静止画記録検出１０により静止画記録制御信号が発生され、メモリ１１に圧縮された静止画が記録される。
【００２３】
その所定条件としては、例えば、ＶＴＲ信号処理部６が録画開始状態になってから、実際にテープ８にデータが記録されるまでの時間の経過した後静止画記録制御信号を発生したり、テープ８への録画中に所定の間隔を置いて、静止画記録制御信号を発生するなどがある。
【００２４】
静止画録画スイッチ１３は操作者が静止画録画をしたい時に押すスイッチで、これが押された時に無条件で静止画記録制御信号を発生しても良いが、本実施形態では、他の条件との組合わせで、例えば、このスイッチ１３が押された後、ＡＥ・ＡＦの状態が良好になれば（先に説明した良好な状態を示す２つの信号が揃えば）静止画記録制御信号が発生させるようにした。実際、ＡＥ・ＡＦの状態が良好になるのは静止画録画スイッチ１３が操作されてから多少遅延するかもしれないが、操作者にとってはその時間は瞬時であるので問題はない。
【００２５】
条件設定スイッチ１４は、幾つかの設定位置を有する。例えば、画面上に人物が所定の大きさで所定の位置に入った時に静止画を記録する人物撮影モードと、画面上に風景が所定の大きさで所定の位置に入った時に静止画を記録する風景撮影モードと、オフの３つの設定位置を有する。静止画記録検出部１０の入力ディジタルビデオ信号が設定された条件を満足する時に、静止画記録制御信号が発生される。オフの時は、画像の状態によって静止画記録制御信号が発生される事はない。
【００２６】
尚、静止画記録検出部１０において、静止画記録制御信号が発生される条件は、上述の条件のみによらず、それらの組合わせによって発生するようにする事も可能である。
【００２７】
たとえば、条件設定スイッチ１４によって人物撮影モードが設定されていて、画像中から人物が検出され、トリガスイッチ１２によって録画中で、所定の間隔は必ず開ける（同じシーンを撮像を避けるため）、ＡＥ・ＡＦが良好という条件が揃った時のみ静止画記録制御信号が発生される様にするなどである。
【００２８】
図２は、図１における静止画記録検出部１０の詳細ブロック構成図である。
【００２９】
図中、２０、２１、２２、２３、２４は夫々、ディジタルビデオ信号、ＡＥ・ＡＦ状態信号（２ビット）、スイッチ１２の出力、スイッチ１３の出力、スイッチ１４の出力信号の各入力端子である。２５は入力画像を走査順に順次書き込み、与えられた読み出しアドレスに応じてランダムに読み出す事が可能なメモリ、２６、２７は被写体の特徴を表す画像を複数種類保持するＲＯＭ、２８はメモリ２５の読み出しアドレス、ＲＯＭ２６、ＲＯＭ２７の内容を読み出すためのアドレス、ＲＯＭ内の被写体の特徴を表す画像のどの部分を指示しているかの選択を表すアドレス信号を発生するアドレス発生部、２９はＲＯＭ２６、ＲＯＭ２７の出力を選択するスイッチ回路である。３０はメモリ２５の内容及びスイッチ回路２９の出力を用いて、例えば、当該領域の各画素ごとの値の差の二乗あるいは絶対値を累算するなどのマッチング演算を行い、２つの画像信号のマッチング度に応じた値を出力するマッチング演算部、３１は入力されたマッチング度と、スイッチ１４の出力と、アドレス発生部２８の被写体部分の選択を表す信号を用いて、ディジタルビデオ信号の表す画像が、所定のシーンであるという条件を満足するかどうかの判定を行うシーン判定部、３２は信号が入力されると、所定時間経った後に出力を発生するタイマー、３３はＯＲゲート、３４はＡＮＤゲートである。
【００３０】
上記構成において、入力端子２０から入力されたディジタルビデオデータは、まず、メモリ２５に走査順に書き込まれる。
【００３１】
この書き込まれたデータは、アドレス発生２８によって発生されたアドレスに応じて読み出さる。ＲＯＭ２６およびＲＯＭ２７に書き込まれているデータは、同じくアドレス発生２８によって発生されたアドレスに応じてそれぞれ読み出される。これらのデータのうち、入力端子２４より入力された信号に応じてスイッチ回路１４は何れか一方を選択し、マッチング演算３０に出力する。
【００３２】
マッチング演算３０では、入力された２つの信号が表す画像のマッチング度を求める。
【００３３】
たとえば、ＲＯＭ２６には、人間の顔の部分部分の画像、例えば、目の画像、口の画像、鼻の画像等が記録されており、スイッチ回路２９がＲＯＭ２６側を選択しているとする。メモリ２６の中の画像に、人間の顔が含まれている際、アドレス発生２８によって発生された読み出しアドレスによって読み出されたメモリ２６の出力の人間の目の画像の位置が、ＲＯＭ２６から読みだされた目の画像の位置と一致した際に、大きなマッチング度がマッチング演算３０より出力される。このほかにも、鼻と鼻、口と口などで大きなマッチング度が得られる。
【００３４】
ＲＯＭ２７には人間以外の被写体の画像として、例えば、空や、建物、木などの画像が記録されており、スイッチ２９がＲＯＭ２７側を選択している時、メモリ２６の中の画像に、それらの画像に相当する画像が含まれている場合、大きなマッチング度が、マッチング演算３０から得られる。
【００３５】
シーン判定部３１では、入力されたマッチング演算３０の出力と、スイッチ１４の出力と、アドレス発生２８の発生する被写体の部分の選択を表す信号を用いて、ディジタルビデオ信号が表す画像が、所定のシーンであるかを判定する。この判定には大きく分けて３つのステップがある。
【００３６】
まず、初めのステップでは、マッチング演算部３０の出力を用いて、マッチング度の高い部分の中心の値と座標を各部分部分毎に求める。
【００３７】
例えば、前述のように、スイッチ回路２９が、人間顔の部分の画像を記録しているＲＯＭ２６の側を選択している時、目の画像とのマッチング度の高い位置の中心または重心の位置と、その値を求め、さらに、鼻の画像、口の画像についても同様に行う。
【００３８】
次のステップでは、それらの、各部分の中心の位置における値から、判定に用いる候補を抽出する。これは、例えば、各々の値か、あるいは、各々の値を全体の分散で正規化した、標準偏差が、所定の閾値を越えているかどうかを判定する。
【００３９】
最後のステップでは、前のステップで得られた候補の相対的な位置関係を用いて、最終的なシーン判定を行う。例えば、目の候補が所定の範囲の間隔で横並びに２つ有り、その中央の下に鼻の候補が有り、その更に下に口の候補があれば、人間の顔が有ると判定し、更に、その顔が、画面上の所定の範囲内にあれば、静止画撮影を行うための判定信号を出力する。
【００４０】
同様に、風景を検出する場合でも、各画像の候補が、所定の条件に合致している時に、静止画撮影を行うための判定信号を出力する。
【００４１】
この判定信号は、ＯＲゲート３３に入力され、そのＯＲゲート３３の出力は、入力端子２１から入力されるＡＥ・ＡＦ検出信号と共にＡＮＤゲート３４に入力される。ＯＲゲート３３に入力される他の信号については後述する。
【００４２】
ＡＮＤゲート３４では、上記のようにしてシーン判定信号が発生し、かつ、ＡＥ及びＡＦの両状態が良好である事を示すＡＥ・ＡＦ信号が入力された場合に、検出信号を出力端子３５へ出力し、前述した静止画信号処理部９を制御する。つまり、ディジタルビデオ信号が表す画像がスイッチ１４によって設定された所定のシーンであると判定され、かつＡＦ・ＡＥの状態が良好な時に、静止画像が、前述のメモリ１１に記録される。
【００４３】
また、入力端子２２に入力されたスイッチ１２の出力信号は、タイマー３２によって所定の時間、例えば前述したように、スイッチ１２が押されてから、撮影が開始されるまでの時間を経過した後、出力を発生し、その出力は前述のシーン判定３１の出力とともにＯＲゲート３３に入力される。この経路により、スイッチ１２が押されてから所定の時間経過した時、その時、ＡＥ・ＡＦの状態が良好であれば、その時の静止画像が、前述のメモリ１１に記録される。
【００４４】
また、スイッチ１３の出力は入力端子２３を経由して、ＯＲ３３に入力される。これにより、スイッチ１３が押された時は、その時、ＡＥ・ＡＦの状態が良好であれば、その時の静止画像が、前述のメモリ１１に記録される。
【００４５】
図３は、実施形態における図２中のシーン判定部３１の詳細ブロック構成図である。
【００４６】
図中、４０はマッチング演算部３０の出力のマッチング度の入力端子、４１はアドレス発生部２８から発生される、被写体の部分を選択する信号の入力端子、４２はスイッチ１４の出力を入力する入力端子である。４３はマッチング度の高い部分の中心を求める中心検出部、４４は求めた中心におけるマッチング度の値から、判定に用いる候補を抽出する候補抽出部、４５は候補抽出部４４で求めた候補から、判定信号を発生するためのニューラルネットワークである。
【００４７】
４７〜５９は中心検出部４３の構成要素であって、４７は入力されたマッチング度を順次書き込み、制御信号発生４８から発生される読み出しアドレスに応じて読み出すメモリ、４８は上述のメモリ４７の読み出しアドレスと、４９〜５３の各レジスタの書き込み信号を発生する制御信号発生部、４９〜５３は夫々、注目点の上、右、中心、下、左の各位置におけるメモリ４７の読み出し値を制御信号発生部４８からの書き込み信号に応じて書き込むレジスタ、５４〜５７は減算器、５８は入力された信号の符号を判定する符号判定部、５９は符号判定の結果に応じてレジスタ５１の値をゲートするゲートである。
【００４８】
入力端子４０からされたマッチング度はメモリ４７に順次書き込まれる。このメモリ４７に書き込まれたデータは、制御信号発生部４８により、読み出され、レジスタ４９〜５３に書き込まれる。この時、制御信号発生部４８は、ある注目点のデータをレジスタ５１に、その注目点の上の位置のデータをレジスタ４９に、同様に右のデータをレジスタ５０に、下のデータをレジスタ５２に、左のデータをレジスタ５３に書き込むように、メモリ４７の読み出しアドレス、各レジスタの書さ込み信号を発生すると同時に、その注目点の座標値を候補抽出部４４に出力する。この動作によりレジスタ４９、５０、５２、５３に書き込まれたデータは減算器５４〜５７に供給され、そこで中心位置のマッチング度が格納されているレジスタ５１が減じられる。各減算器５４〜５７は、減算結果の符号を符合判定部５８に供給する。符号判定部５８では入力された夫々の減算結果の符号をもとに、中心の値が最も大さい時（全ての減算器５４〜５７からの符号が負である場合）、ゲート信号を発生する。これにより、現在の注目点が２次元的に極大値である時にゲート信号が発生される。ゲート５９ではこの符号判定５８の出力するゲート信号が発生された時に、中心のレジスタ５１の値を出力する。
【００４９】
６０、６１は候補抽出部４４の構成要素であって、６０は入力と、所定の基準値Ｓrefとを比較して比較出力を発生する閾値比較部、６１は閾値比較部６０から発生された比較出力に応じて、入力された注目点の位置と、入力端子４１から入力された被写体部分の選択を表す信号を記録するメモリである。
【００５０】
ゲート５９の出力は、閾値比較部６０に入力され、所定の基準値Ｓｒｅｆと比較されてＳｒｅｆより大きい時は比較出力が発生される。その比較出力が発生されるとメモリ６１にその時の制御信号発生４８から発生された注目点の座標値と、入力端子４１から入力された被写体の部分の選択を表す信号を記録する。
【００５１】
ニューラルネットワーク４５では、あらかじめ学習によって決められた各ノードの係数をセットしたニューラルネットワークに、メモリ６１に記録された情報を順次読み出し、それらの値と、入力端子４２から入力されたスイッチ１４の出力を入力し、静止画シーンとして適しているかどうかについて判定し、その結果を判定信号として出力する。
【００５２】
ニューラルネットワーク４５としては、画面上の所定の範囲内に、所定の画像が写っている状態である、静止画シーンとして適しているデータと、その他の画像のみにより構成された静止画シーンとして適していないデータを学習に必要な種類用意し、バックアノテーション法などを用いて学習させる。その際、シーンの選択データも一緒に入力により、シーンの設定の違いによる判断の違いも学習させる。あるいは、スイッチ１４の出力により、ニューラルネットワーク４５の内部の各ノードの値を切り換えてもよい。
【００５３】
図４は図１における静止画記録検出部１０の別の詳細ブロック構成図である。７０は被写体記録スイッチ、７１はＲＡＭで有る。
【００５４】
本構成における特徴は、被写体が視野内にあるか否かを判定する際に、操作者が自由にその比較対象の被写体の画像を記憶させるものである。
【００５５】
被写体記録スイッチ７０が押されると、撮影しているビデオディジタル信号の一部分をＲＡＭ７１に書き込む。書き込む画像データは、例えば視野の中心位置をその中心とする所定サイズ（そのサイズを可変にしても良い）の領域内の画像データである。
【００５６】
被写体記録スイッチ７０が離された後、スイッチ１４によってＲＡＭ７１の出力がスイッチ回路２９により選択されると、前述の例と同様に、マッチング演算３０、シーン判定部３１により、所定の条件を満足すると、静止画記録検出結果が出力される。
【００５７】
この動作により、操作者により、設定された被写体が撮影されている時にその時の画像が静止画像として、メモリ１１に書き込むことが可能になる。
【００５８】
図５は、上記図４における被写体記録スイッチ７０を操作する際のファインダー（もしくは不図示の表示部の表示例）を示す図である。図中、８０は撮影している範囲、８１は被写体、８２は撮影範囲の内、ＲＡＭ７１に書き込まれる領域である。被写体記録スイッチ７０が押されると、この領域の画像が、ＲＡＭ７１に書き込まれる。その後、被写体記録スイッチ７０を離し、スイッチ１４を前述のようにセットすると、８２の範囲で示される被写体像が画面上の所定の範囲内に有る時は、その画像が静止画像としてメモリ１１に記録される。
【００５９】
この時、被写体の大きさが若干変化しても、検出が行えるように、アドレス発生２８により発生されるアドレスをリニアでは無く、メモリ２５のＮ画素についてＲＡＭ７１のＭ画素分間引させるか、あるいは逆を行うように、アドレスを発生すれば、そのＮとＭの比率によって、大ささの異なる被写体に対しても、検出を行う事が可能である。
【００６０】
上記の構成により、操作者にとっては静止画撮影指示した画像を探し出す場合には、テープ８ではなく、メモリ１１内に格納された静止画を探せば良くなり、検索に係る操作性が大幅に向上することになる。しかも、その静止画は少なくともＡＥ及びＡＦ共、良好な状態で撮影されたものであるので、従来の如く、探し出した映像が期待ものよりピントがずれていた等の問題もない。
【００６１】
尚、メモリ１１が本装置から着脱自在であれば、それをパーソナルコンピュータ等のメモリを装着する部分にそれをセットして、アプリケーション等で直接そのデータを復号化、伸張すれば良い。
【００６２】
そこで、以下では本装置側でサーチする場合の手順を図６に従って説明する。
【００６３】
操作者は、不図示の操作部より、サーチ対象として静止画として撮影された映像もしくは、動画記録された中からサーチするのかを選択する。動画記録、すなわち、テープ８内からのサーチであると判断した場合には、ステップＳ２に進んで、通常のサーチ処理を行なう。
【００６４】
一方、静止画サーチを選択した場合には、ステップＳ３に進んで、静止画信号処理部９を制御してメモリ１１から圧縮記憶された静止画データを伸張し、それを不図示の表示部に表示する。最初にこのステップＳ３に移行した場合には最初の静止画を再生し表示するものとする。また、表示部は、その映像が確認できれば良いわけであるから、必ずしも、伸張した画像をそのまま表示ずる必要はなく、例えば間引き処理を施して表示してもよい。
【００６５】
次いで、ステップＳ４に進み、表示された画像が目的のものであるか否かの指示を受け、その判断を行なう。目的の画像ではない旨の指示があった場合には、ステップＳ３に戻り、次の静止画を表示させる。こうして、目的の静止画を探し出せ、その旨の指示があると、処理はステップＳ５に進み、そいの時に表示していた画像に対応する静止画画像データ（間引きしていない静止画データ）を不図示のインタフェースを介して出力する。
【００６６】
尚、上記の静止画サーチの処理手順は一例であって、これによって本願発明が限定されるものではない。例えば、サーチする静止画を１つずつコマ送りするのではなく、何コマ目にするかを指示しても良いし、最後に記録されたコマからサーチしてもよい。更には、所定時間内に出力指示を与えない限りは、自動的に次のコマの映像を表示するようにしてもよい。
【００６７】
また、出力するインタフェースであるが、例えばテレビ装置やＶＴＲ装置、或いはパーソナルコンピュータ等の装着されたビデオキャプチャカードに向けて出力するためのインタフェースには、ＮＴＳＣ方式で出力する。また、ディジタルデータとして出力する場合、例えば、パーソナルコンピュータにそれ専用のカードを装着している場合には、伸張して得られた静止画画像データをそのまま出力する。但し、パーソナルコンピュータ側に、伸張処理を行なうデバイスドライバやアプリケーションが稼働しているのであれば、メモリ１１から読出した圧縮符号化されたデータをそのまま送出するようにしてもよい。この場合、転送にかかる情報量は少ないので、短時間に転送できる。また、プリンタに直接出力する場合には、それ専用のインタフェースを介して、そのプリンタが解釈できる制御コマンドを付加して転送する。これら出力インタフェースのいずれを使用するかは、予め、操作部により選択させておけばよい。場合によっては、ＮＴＳＣ信号以外のインタフェースについては互いに通信できるか否かを確かめ、通信できる状態にある場合には、その通信可能なインタフェース全てに対し、上記のようなデータを出力するようにしても良いであろう。
【００６８】
また、実施形態におけるメモリ１１としては、文字通り、メモリＩＣカードに限るものではなく、フロッピーディスク、ＭＯ、更には磁気テープ等であっても良いので、これによって本願発明が限定されるものではない。
【００６９】
以上説明したように本実施形態に従えば、動画と同時に記録された静止画像を見る事により、動画としてどのようなシーンが記録されているか容易に判定できる。
【００７０】
また、その時得られる静止画像は、焦点調整や露出が適切で、静止画として適当な画像が得られる。
【００７１】
更にまた、操作者が静止画として必要な画像も更に静止画として記録されるため、上述の利便性が更に増すとともに、その記録される静止画は、焦点調整や露出が適切で、静止画として適当な画像が得られる。
【００７２】
そして、操作者が、撮影を意図する被写体の画像が撮影され、かつ、静止画として適当な画像である時にその画像が静止画として自動的に記録されるため、動画撮影中に静止画を記録するための操作が不要になり、静止画を記録するためのスイッチを押したりする際に生ずる装置のぶれがなくなり、適切な動画と静止画が得られる。
【００７３】
【発明の効果】
以上説明したように本発明によれば、動画撮影を行なう装置において、更に静止画として記録手段を備え、予め被写体の特徴を表す画像データと相関性の高い静止画のみを別記録媒体に記録させることが可能になる。
【００７４】
【図面の簡単な説明】
【図１】実施形態における撮像装置の記録に関する構成を示す図である。
【図２】図１における静止画記録検出部１０の詳細ブロック構成図である。
【図３】図２におけるシーン判定部３１の詳細ブロック構成図である。
【図４】図１における静止画記録検出部１０の別の詳細ブロック構成図である。
【図５】図４における被写体記録スイッチ７０を操作する際のファインダー内の映像をを示す図である。
【図６】実施形態における静止画サーチ処理手順の一例を示す図である。
【図１】
0003667065.tif 000002
【図２】
0003667065.tif 000003
【図３】
0003667065.tif 000004
【図４】
0003667065.tif 000005
【図５】
0003667065.tif 000006
【図６】
0003667065.tif 000007